(57)【要約】      （修正有）【課題】歩行時にも靴が脱げにくく、着用時の美観も損なうことがない踵のある婦人靴の踵アタッチメントを提供する。【解決手段】パンプス１０の踵の内側に装着される踵アタッチメント１として構成される。踵アタッチメント１は、所定の素材から略Ｖ字状の月形芯に類似した形状に形成し、Ｖ字が弾性的に維持されるように所定の剛性を備えている。月形芯は、パンプスの踵を構成している外側の皮革である腰革１１ａと、内側の皮革である腰裏１１ｂの間に設けられているが、踵アタッチメント１はこの腰裏１１ｂに取り付けられようにする。すなわちパンプス１０の内側に貼り付けられるようにする。【選択図】図２
0003185292.tif 000002
【実用新案登録請求の範囲】
【請求項１】
踵のある婦人靴の該踵の内側に装着される踵アタッチメントであって、該踵アタッチメントは、婦人靴の踵の腰革と腰裏の間に設けられている略Ｖ字状の月形芯に類似した形状を呈し、前記腰裏に取り付けられるようになっていることを特徴とする踵アタッチメント。
【請求項２】
請求項１に記載の踵アタッチメントであって、前記踵アタッチメントは前記Ｖ字が弾性的に維持されるように所定の剛性を備えていることを特徴とする踵アタッチメント。
【考案の詳細な説明】
【技術分野】
【０００１】
本考案は、パンプス、ローファー、スリッポン、ブーツ等の踵のある婦人靴の、該踵に設けるアタッチメントに関するものであり、市販されている婦人靴に後付で取り付けられ、履き心地を改善したり脱げにくくするアタッチメントに関するものである。
【背景技術】
【０００２】
婦人靴には、パンプス、ミュール、サンダル、ローファー、スニーカー、ブーツ、スリッポン等色々な種類があり、ファッション性の高いものも多い。このような婦人靴の中で、踵のある婦人靴はビジネス用途にも使用できる婦人靴として女性に人気を博している。踵のある婦人靴として、例えばパンプス５０は概ね図３に示されているように構成されており、足を出し入れする開口部すなわち履き口が広く形成されている。つまり、いわゆる甲革と呼ばれるアッパー部５２は足指近傍の先端を覆うようになっており、足の側面を覆う側部５３も比較的低い。従ってパンプス５０を履くと、アッパー部５２が小さく、側部５３が比較的低いので、足の甲は広い範囲で露出することになる。一方、踵を覆ういわゆるヒールカップ部５４はある程度踵を包み込めるように深く形成されている。このヒールカップ部５４は、図には示されていないが、形状を維持するためにいわゆる月形芯が設けられている。月形芯は、ヒールカップ部５４の外側の皮革すなわち腰革５４ａと、内側で踵に接する皮革すなわち腰裏５４ｂの間に入れられている。パンプス５０には、デザインによって高さや形状が異なるヒール５５も設けられている。
【０００３】
パンプス５０は、このように履き口が広く、履いた時に足の甲が広く露出するようになっているので、足をホールドする部分が少ない。すなわち実質的に足をホールドしている部分は、符号５８で示されているアッパー部５２と、符号５９、６０で示されている部分になる。符号５９、６０の部分はヒールカップ部５４の両側部であり、踵のくるぶしの下近傍を左右から挟み込むようにしてホールドするようになっている。
【先行技術文献】
【特許文献】
【０００４】
【特許文献１】特開２０１１−４１５９０号公報
【０００５】
特許文献１には、踵に突出部が設けられた婦人靴が記載されている。特許文献１においてこの婦人靴は踵を有しているが種類が限定されてはいない。恐らくパンプス、スリッポン、ローファー等であると考えられる。特許文献１に記載の踵のある婦人靴において、突出部はヒールカップ部の内側に設けられており、婦人靴を履いたときに突出部が足のくるぶしの下近傍を押さえるようになっている。あるいは突出部がくるぶしの下近傍に係合するようになっている。従って特許文献１に記載の婦人靴を履くと、踵がしっかりとホールドされることになり、歩行時であっても脱げにくい。
【考案の概要】
【考案が解決しようとする課題】
【０００６】
従来の踵のある婦人靴であっても、ある程度は足がホールドされるようになっているし、特許文献１に記載の突出部を備えた婦人靴であれば、踵がホールドされるので足全体がホールドされる効果がある。従って履き口が広くても、いずれも歩行時に脱げにくい。しかしながら解決すべき課題も見受けられる。まず、従来の踵のある婦人靴の場合を検討すると、踵の横幅には個人差があるという問題がある。すなわち、踵の幅が狭い人が婦人靴を履くと、ヒールカップ部５４の符号５９、６０の部分が足から浮いてしまって十分なホールド効果が得られない。つまり、ある人にとってはホールド効果が十分に得られる婦人靴であっても、他の人にとってはホールド効果が得られない場合もある。また、所定の婦人靴に対して踵の横幅が適正であっても長時間の使用によってホールド効果が低下する問題もある。すなわち、月形芯によってある程度は形状が維持されるようにはなっているが、長期間使用するとヒールカップ部５４が図３に示されているように徐々に横に広がってしまい、符号５９、６０の部分によるホールド効果が無くなってしまう。そうすると歩行時に靴が脱げやすくなってしまう。またこのような場合にも歩行時に靴が脱げやすくなってしまう。次に特許文献１に記載の突出部を備えた婦人靴を検討すると、足に接触しているのは突出部であり、突出部の周囲の部分は足から浮いてしまうという問題がある。つまりヒールカップ部と足との間には隙間が生じてしまい、婦人靴を履いたときに美観が損なわれてしまう。また特許文献１に記載の婦人靴であっても長時間の使用によってヒールカップ部は当然に開いてしまう。そうすると突出部が設けられていても、突出部はくるぶしの下近傍を十分に押さえることができなくなりホールド効果が低下してしまう。つまり長時間の使用を経ると歩行時に脱げやすくなってしまう。
【０００７】
本考案は、上記したような従来の問題を解決した、踵のある婦人靴の踵アタッチメントを提供することを目的としており、具体的には、十分なホールド効果を有して歩行時にも靴が脱げにくく、長時間の使用を経てもホールド効果が低下することがなく、着用時の美観も損なうことがない、踵のある婦人靴の踵アタッチメントを提供することを目的としている。
【課題を解決するための手段】
【０００８】
本考案は、上記目的を達成するために、踵のある婦人靴の該踵の内側に装着される踵アタッチメントとして構成される。踵アタッチメントは、所定の素材から略Ｖ字状の月形芯に類似した形状に形成し、Ｖ字が弾性的に維持されるように所定の剛性を備えている。月形芯は、婦人靴の踵を構成している外側の皮革である腰革と、内側の皮革である腰裏の間に設けられているが、踵アタッチメントはこの腰裏に取り付けられようにする。すなわち婦人靴の内側に貼り付けられるようにする。
【０００９】
すなわち本考案は、踵のある婦人靴の該踵の内側に装着される踵アタッチメントであって、該踵アタッチメントは、婦人靴の踵の腰革と腰裏の間に設けられている略Ｖ字状の月形芯に類似した形状を呈し、前記腰裏に取り付けられるようになっていることを特徴とする踵アタッチメントとして構成される。
請求項２に記載の考案は、請求項１に記載の踵アタッチメントであって、前記踵アタッチメントは前記Ｖ字が弾性的に維持されるように所定の剛性を備えていることを特徴とする踵アタッチメントとして構成される。
【考案の効果】
【００１０】
以上のように、本考案によると、踵のある婦人靴の該踵の内側に装着される踵アタッチメントであって、該踵アタッチメントは、婦人靴の踵の腰革と腰裏の間に設けられている略Ｖ字状の月形芯に類似した形状を呈し、腰裏に取り付けられるように構成されている。踵のある婦人靴に踵アタッチメントを設けると、ヒールカップ部の形状が維持されやすくなると共にホールド効果が高くなる。つまり踵アタッチメントは月形芯に類似した略Ｖ字状に形成されているので、第１の効果としてヒールカップ部をさらに補強する効果が得られ、第２の効果としてＶ字型が維持されやすくなるので踵を両側から挟み込む効果、すなわちホールド効果が得られる。これによって婦人靴を長時間使用してもヒールカップ部が広がることがなく、踵をしっかりとホールドすることができるので歩行時に脱げにくい。また踵の幅は個人差があるが、Ｖ字の角度や厚さの異なる色々な踵アタッチメントを選択的に取り付けることによって、使用者に適した形状のヒールカップ部の形状が得られる。つまり踵の幅の個人差によらずに十分なホールド効果が得られ、歩行時に婦人靴が脱げにくい。また、本考案の踵アタッチメントは、長時間の使用によってヒールカップ部が広がってしまった婦人靴にも適用することができ、このような婦人靴に踵アタッチメントを設けると、ヒールカップ部を元の形状に戻すことができる。
【図面の簡単な説明】
【００１１】
【図１】本考案の実施の形態に係る踵アタッチメントを示す図であり、その（ア）、（イ）は異なる角度から見た踵アタッチメントの斜視図、その（ウ）は踵アタッチメントの側面図、その（エ）〜（カ）はその（ウ）においてそれぞれＸ−Ｘ、Ｙ−Ｙ、Ｚ−Ｚで切断した断面図である。
【図２】本考案の実施の形態に係る踵アタッチメントを説明する図で、その（ア）〜（ウ）は市販のパンプスに踵アタッチメントを取り付ける工程のそれぞれを示す斜視図であり、その（エ）は、踵アタッチメントが設けられたパンプスの踵部分の断面図である。
【図３】従来のパンプスを示す斜視図である。
【考案を実施するための形態】
【００１２】
以下、本考案の実施の形態に係る踵アタッチメント１について説明する。本実施の形態に係る踵アタッチメント１は、天然皮革のクズあるいは繊維状にされた天然皮革に所定の樹脂を添加した複合材料からなり、図１の（ア）（イ）に示されているように、いわゆる月形芯に類似した形状に形成されている。すなわち薄肉のシートが上面形状が略Ｖ字状になるように折り曲げられた形状を呈している。折り曲げられている中央部分２は所定の曲率で湾曲しているが、この中央部分２が婦人靴を履いたときにアキレス腱に対応している。そしてＶ字の両翼４、５が、踵の両側に対応している。踵アタッチメント１の側面形状は図１の（ウ）に示されているが、これをＸ−Ｘ、Ｙ−Ｙ、Ｚ−−Ｚで切断した様子がそれぞれ図１の（エ）〜（カ）に示されている。これらの図から分かるように、踵アタッチメント１は、上部においては両翼４、５はほぼ直線状に形成されてＶ字に近い形状になっているが、中央部においては両翼４、５は大きく丸みを帯びてＵ字状を呈しており、下部においては両翼４、５は丸みが小さくなっている。このように形成されているので、婦人靴を履いたときに踵が包み込まれることになる。また、くるぶしの直下において図１の（エ）に示されている部分が対応することになる。従ってホールド効果が高い。図１に示されている踵アタッチメント１は、一般的な踵の形状に合わせて形成されたものであるが、踵の形状や幅は個人差がある。従って踵アタッチメント１は、色々な形状のものが提供され、使用者に応じて選択できるようになっている。
【００１３】
本実施の形態に係る踵アタッチメント１は、天然皮革のクズあるいは繊維状にされた天然皮革と樹脂とからなる複合材料から形成されているので、所定の剛性を備えていると共に弾性も備えている。従って略Ｖ字状になっている踵アタッチメント１の両翼４、５を広げても、速やかに元の形状に戻るようになっている。なお、踵アタッチメント１は、このような材料以外にも、樹脂のみから形成することもできるし、織布あるいは不織布と樹脂とから形成することもでき、所定の剛性と弾性を備えていればよい。
【００１４】
本実施の形態に係る踵アタッチメント１は、踵のある婦人靴であればどのような種類の婦人靴であっても適用することができ、ローファー、スリッポン、ブーツ等、色々な婦人靴に適用できる。以下、踵のある婦人靴として人気のあるパンプスを対象として、踵アタッチメント１を取り付ける手順を説明するが、説明の対象としているパンプス１０は市販されているものとする。まず、使用者の踵の形状に適した踵アタッチメント１を選択し、図２の（ア）に示されているように、パンプス１０の踵部分の内側に仮置きする。より詳しく説明すると、踵部分すなわちヒールカップ部１１は、外側の腰革１１ａと、内側の腰裏１１ｂと、腰革１１ａと腰裏１１ｂの間に入れられている図示されていない月形芯とから構成されているが、この腰裏１１ｂの内側に密着するように踵アタッチメント１を仮置きする。踵アタッチメント１はヒールカップ部１１よりも丈が高く形成されているので、ヒールカップ部１１を越えている上の部分を裁断する。裁断された踵アタッチメント１が、図２の（イ）に示されている。次に、踵アタッチメット１に化粧皮革１３を踵アタッチメント１に貼り付ける。あるいは縫いつける。化粧皮革１３は天然皮革から形成してもよいし、織布等から形成してもよい。この化粧皮革１３は、履き心地を改善したり、踵アタッチメント１を摩耗から保護したり、滑り止め効果を得る目的で踵アタッチメント１の上に設けられる。化粧皮革１３が貼り合わされた踵アタッチメント１を、図２の（ウ）に示されているように、パンプス１０の腰裏１１ｂに貼り付ける。あるいは縫いつける。本実施の形態に係る踵アタッチメント１の取付を完了する。なお、化粧皮革１３は必須ではなく、踵アタッチメント１が露出した状態でパンプス１０の腰裏１１ｂに取り付けられていても構わない。また、踵アタッチメント１と化粧皮革１３とは、別々に提供されて、パンプス１０に取り付けるときに貼り付けられるように説明したが、化粧皮革１３が踵アタッチメント１に予め貼り合わされた状態で提供されてもよい。この場合、化粧皮革１３は踵アタッチメント１の一部と言うことができる。
【００１５】
踵アタッチメント１が取り付けられたパンプス１０のヒールカップ部１１の断面図が図２の（エ）に示されている。ヒールカップ部１１は、月形芯１５と、本実施の形態に係る踵アタッチメント１とによって補強されることになる。月形芯１５と踵アタッチメント１の間に腰裏１１ｂが挟み込まれているので、所定の厚さが形成されている。曲げモーメントに対する剛性は、曲げモーメントを受ける部分の厚さが厚くなるにしたがって著しく高くなるので、ヒールカップ部１１の形状は、本実施の形態に係る踵アタッチメント１が取り付けられたことによって、より維持されやすくなっている。これによってパンプス１０を履いたときに、踵を両側からホールドする力が得られ、歩行時でもパンプス１０は脱げにくい。
【符号の説明】
【００１６】
１              踵アタッチメント
２              中央部分
４、５          両翼
１０            パンプス
１１            ヒールカップ部
１１ａ          腰革
１１ｂ          腰裏
１３            化粧皮革
【図１】
0003185292.tif 000003
【図２】
0003185292.tif 000004
【図３】
0003185292.tif 000005